(57)【要約】【課題】骨盤の不整の矯正と癒着防止のために、患部に対し、幅広く対応することが可能な、一般には骨盤矯正バンドとして用いられる治療器保持用ベルトを提供する。【解決手段】人体の腰部に巻き付け係着自在とした、広幅伸縮性のベルト本体１と、該ベルト本体１の長手方向の複数箇所に設けたマッサージ器などによる治療器３挿入保持用の複数個のポケット２と、を具備し、複数個のポケット２の任意の一個、複数個、又は全部に治療器３を選択的に挿入保持させ、選択した任意の治療器３を作動させて骨盤の不整などの治療を行わせるようにした。【選択図】図３
0003163846.tif 000002
【実用新案登録請求の範囲】
【請求項１】
人体の腰部に巻き付け係着自在とした、広幅伸縮性のベルト本体と、該ベルト本体の長手方向の複数箇所に設けた治療器挿入保持用の複数個のポケットと、を具備し、前記複数個のポケットの任意の一個、又は複数個に前記治療器が挿入保持されるようにしたことを特徴とする治療器保持用ベルト。
【請求項２】
人体の腰部に巻き付け係着自在とした、広幅伸縮性のベルト本体と、該ベルト本体の長手方向の複数箇所に設けた治療器挿入保持用の複数個のポケットと、を具備し、ベルト本体の外面には、ベルト本体の長手方向に沿って長い弾性ベルトにより形成された保持ベルトが設けられ、該保持ベルトは、その両端がベルト本体外面の左右の部分に固定されるとともに、保持ベルトの長手方向の中間部の複数箇所は縦方向の固定線によりベルト本体に固定され、固定線の間が、前記治療器が挿入され保持ベルトの弾力により弾性的に保持される前記ポケットとされていることを特徴とする治療器保持用ベルト。
【請求項３】
前記保持ベルトは、前記ベルト本体よりも弾力が強い弾性ベルトにより形成され、前記ベルト本体よりも細幅とされ、その両端がベルト本体外面の左右の部分であってベルト本体の上下の中間部分に固定されるとともに、保持ベルトの長手方向の中間部の複数箇所は縦方向の逢着糸による固定線によりベルト本体に固定され、固定線の間が、前記治療器が挿入され保持ベルトの弾力により弾性的に保持される前記ポケットとされていることを特徴とする請求項２に記載の治療器保持用ベルト。
【請求項４】
前記保持ベルトの両端は、ベルト本体の上下略全幅に亘り固定して設けられたテープ状の固定布により覆われた状態で固定されていることを特徴とする請求項２又は３に記載の治療器保持用ベルト。
【請求項５】
前記保持ベルトの左右長さは、約３０ｃｍ〜約６０ｃｍとされ、前記ポケットの左右幅は、約３ｃｍ〜約６ｃｍに区画されていることを特徴とする請求項２乃至４のいずれかに記載の治療器保持用ベルト。
【請求項６】
前記ベルト本体は、その中間伸縮部の左右に、人体の腰部に巻き付けた時に、前後方向に重なりあって互いに係着する面ファスナーが設けられ、少なくともその一部は、高通気性の伸縮素材により形成されていることを特徴とする請求項１乃至５のいずれかに記載の治療器保持用ベルト。
【請求項７】
前記治療器は、前記ポケットに着脱自在に挿入されるように外観略筒型をなすとともに、人体に振動効果を付与するバイブレーターによるマッサージ器により形成され、その外壁には、マッサージ器を作動又は作動停止操作させるスイッチ部が形成されていることを特徴とする請求項１乃至６のいずれかに記載の治療器保持用ベルト。
【請求項８】
人体の腰部に巻き付け係着自在とした、広幅伸縮性のベルト本体と、該ベルト本体の長手方向の複数箇所に設けた治療器挿入保持用の複数個のポケットと、を具備し、前記各ポケットは、上端を開口し下端を閉鎖した略筒状をなしていることを特徴とする治療器保持用ベルト。
【請求項９】
前記ポケットは、ベルト本体を人体の腰部に巻き付けて係着した時に、骨盤の左右の部分に略対応する位置に複数個対づつ離間して設けられていることを特徴とする請求項８に記載の治療器保持用ベルト。
【考案の詳細な説明】
【技術分野】
【０００１】
本考案は、人体の腰部に巻き付けて使用する、骨盤の不整の矯正と癒着防止などに有用な振動物用ベルト若しくは治療器保持用ベルトに関する。
【背景技術】
【０００２】
腰痛や歩行困難の多くは、骨盤の不整に起因することが知られており、該不整を矯正するためには、医師やマッサージ師などの専門家による矯正治療もしくはゴムバンド体操が必要となる。
【０００３】
かかる矯正治療を補助するための補助具として、下記特許文献１に示される骨盤矯正バンドが提案されている。
特許文献１の骨盤矯正バンドは、バンド本体の中央部一箇所にバイブレーターを装着し、人体の腰部に巻き付けてバイブレーターの位置に対応する局部にバイブレーション作用を付与することにより、骨盤の不整の矯正と癒着防止の矯正治療を行わせるものである。
【先行技術文献】
【特許文献】
【０００４】
【特許文献１】実用新案登録第３１３７８３７号公報
【考案の概要】
【考案が解決しようとする課題】
【０００５】
しかしながら、骨盤の不整の矯正は、局部的な治療のみでは不完全であり、患部の状態などに応じ、上記専門家のアドバイスにより、腰部に対し幅広く対応することが必要である。
【０００６】
そこで本考案は、上記状況に鑑みてなされたもので、骨盤の不整の矯正と癒着防止のために、患部に対し、幅広く対応することが可能な、一般には骨盤矯正バンドとして用いられる治療器保持用ベルトを提供することを目的としている。
【課題を解決するための手段】
【０００７】
次に、上記の課題を解決するための手段を、実施の形態に対応する図面を参照して説明する。
【０００８】
本考案の治療器保持用ベルトは、人体の腰部に巻き付け係着自在とした、広幅伸縮性のベルト本体と、該ベルト本体の長手方向の複数箇所に設けた治療器挿入保持用の複数個のポケットと、を具備し、前記複数個のポケットの任意の一個、又は複数個に前記治療器が挿入保持されるようにしたことを特徴とする。
【０００９】
図１乃至図３の第１の実施の形態に示されるように、本考案の治療器保持用ベルト１０は、人体の腰部に巻き付け係着自在とした、広幅伸縮性のベルト本体１と、該ベルト本体１の長手方向の複数箇所に設けた治療器挿入保持用の複数個のポケット２Ａと、を具備し、ベルト本体１の外面には、ベルト本体１の長手方向に沿って長い弾性ベルトにより形成された保持ベルト２が設けられ、該保持ベルト２は、その両端がベルト本体１外面の左右の部分に固定されるとともに、保持ベルト２の長手方向の中間部の複数箇所は縦方向の固定線２Ｂによりベルト本体１に固定され、固定線２Ｂの間が、前記治療器３が挿入され保持ベルト２の弾力により弾性的に保持される前記ポケット２Ａとされていることを特徴とする。
【００１０】
前記保持ベルト２は、前記ベルト本体１よりも弾力が強い弾性ベルトにより形成され、前記ベルト本体１よりも細幅とされ、その両端がベルト本体外面の左右の部分であってベルト本体１の上下の中間部分に固定されるとともに、保持ベルトの長手方向の中間部の複数箇所は縦方向の逢着糸による固定線２Ｂによりベルト本体１に固定され、固定線２Ｂの間が、前記治療器３が挿入され保持ベルト２の弾力により弾性的に保持される前記ポケット２Ａとされていることを特徴とする。
【００１１】
前記保持ベルト２の両端は、ベルト本体１の上下略全幅に亘り固定して設けられたテープ状の固定布１Ｄにより覆われた状態で固定されていることが望ましい。
【００１２】
本考案の治療器保持用ベルト１０乃至ベルト本体１の長さは、使用する人体の胴回りに対応して長短があり、前記保持ベルト２の左右長さについても同様であるが、一般的には、保持ベルト２の左右長さは、約３０ｃｍ〜約６０ｃｍとされ、前記ポケットの左右幅は、使用する治療器３の大きさに対応して約３ｃｍ〜約６ｃｍに区画されている。
【００１３】
前記ベルト本体１は、その中間伸縮部の左右に、人体の腰部に巻き付けた時に、前後方向に重なりあって互いに係着する面ファスナー１Ａ，１Ａが設けられ、少なくともその一部は、高通気性の伸縮素材により形成されている。
【００１４】
前記治療器３は、前記ポケット２Ａに着脱自在に挿入されるように外観略筒型をなすとともに、人体に振動効果を付与するバイブレーターによるマッサージ器により形成され、その外壁には、マッサージ器を作動又は作動停止操作させるスイッチ部３ａが形成されている。マッサージ器には、スイッチ部３ａの他に、その作動状態を発光表示させるＬＥＤ等の表示部３ｂを設けることができる。
治療器としては、バイブレーターの他、温熱加温器、超音波治療器などを使用することができる。
【００１５】
図４乃至図６の第２の実施の形態に示されるように、本考案の治療器保持用ベルト２０は、人体の腰部に巻き付け係着自在とした、広幅伸縮性のベルト本体１と、該ベルト本体１の長手方向の複数箇所に設けた治療器挿入保持用の複数個のポケット１２と、を具備し、前記各ポケット１２は、上端を開口し下端を閉鎖した略筒状をなしていることを特徴とする。
【００１６】
前記ポケット１２は、ベルト本体１を人体の腰部に巻き付けて係着した時に、骨盤の左右の部分に略対応する位置に複数個対づつ離間して設けられている。
【００１７】
上記本考案の治療器保持用ベルト１０（２０）は、ポケット２Ａ（１２）に治療器３を装着したベルト本体１を、骨盤回りの腰部に強く巻いて左右の面ファスナー１Ａ，１Ａを係止して使用する。この時、複数の各ポケット２Ａ（１２）に治療器３を装着し、全部の治療器３又は選択した任意の治療器３のみを作動させて、患部の治療を行わせる。複数の各ポケット２Ａ（１２）の内、任意のポケット２Ａ（１２）に治療器３を装着させて必要な矯正を行わせることもできる。
【考案の効果】
【００１８】
本考案の治療器保持用ベルトによれば、患部の場所に対応した任意のポケットの位置の治療器（マッサージ器）を作動させ、又は、患部の場所に対応した任意のポケットの位置に治療器（マッサージ器）を移動させ、患部の状態に応じて骨盤の不整の治療若しくは矯正を有効に行わせることが可能となる。
【００１９】
請求項２乃至７の考案によれば、広幅伸縮性のベルト本体の外面に、ベルト本体の長手方向に沿って長い弾性ベルトにより形成された保持ベルトを設け、該保持ベルトの長手方向の中間部の複数箇所を縦方向の固定線により区画してベルト本体に固定し、固定線の間を治療器が挿入されるポケットとしたので、ポケット内の治療器を保持ベルトにより人体に強く弾圧させ、骨盤の不整に対応して、開いた骨盤を元に戻すなどの治療を有効的確に行わせるこができる。これにより、腰痛等の治療にも有効に活用できる。
【００２０】
また、ベルト本体の中間伸縮部と保持ベルトにより二重に腰部が圧迫され、腰痛等の治療効果が確実となり、治療器の腰部に対する治療効果も確実なものとなる。
【００２１】
さらに、治療器を任意のポケットに対して挿入し又は取り出す作業も簡単である。
【００２２】
また、本考案の治療器保持用ベルトの製造を、ミシン掛けにより能率よく行わせることができ、構造的にも強固である。
【００２３】
さらに、請求項４のように、保持ベルトの両端を上下方向のテープ状の固定布により覆われた状態で固定することにより、保持ベルトの両端の固定強度がまし、ベルト本体の強度についても向上する。
【００２４】
請求項８又は９の考案によれば、治療器がポケットから脱落するという不具合もなく、移動しながらの治療も可能である。
【００２５】
請求項９の考案によれば、ベルト本体の骨盤の左右の位置に略対応する位置に治療器を離間して設けておい、骨盤の不整に対応して、開いた骨盤を元に戻すなどの治療を有効的確に行わせるこができる。これにより、腰痛等の治療にも有効に活用できる。
また、ベルト本体の中間伸縮部には、治療器がないところから、患者は椅子などにもたれて比較的長時間の治療を楽に受けることができる。
【図面の簡単な説明】
【００２６】
【図１】本考案の第１の実施形態に係る治療器保持用ベルトの展開状態の正面図である。
【図２】図１のＡ−Ａ線断面図である。
【図３】上記の治療器保持用ベルトの装着状態を示す斜視図である。
【図４】本考案の第２の実施形態に係るに係る治療器保持用ベルトの展開状態の正面図である。
【図５】図４のＢ−Ｂ線断面図である。
【図６】上記の治療器保持用ベルトの装着状態を示す斜視図である。
【考案を実施するための形態】
【００２７】
以下、本考案の各実施の形態を図面を参照して具体的に説明する。
【００２８】
（第１の実施形態）
図１乃至図３を参照して、本考案の第１の実施形態に係る治療器保持用ベルトを説明する。
第１の実施形態に係る治療器保持用ベルト１０は、人体の腰部に巻き付け係着自在とした、広幅伸縮性であって、全体として通気性のベルト本体１と、ベルト本体１の外面の中間伸縮部１Ｃに沿って重合して設けられた、ベルト本体１の長手方向に沿って長い弾性ベルトよりなる保持ベルト２とを有している。ベルト本体１の両端には、人体の腰部に巻き付けた時に、前後方向に重なりあって互いに係着する面ファスナー１Ａ，１Ａが設けられている。中間伸縮部１Ｃは、比較的伸縮性の強い合成繊維布体により形成され、中間伸縮部１Ｃと一方の面ファスナー１Ａとの間は、比較的通気性の高い合成繊維布体よりなる通気性の伸縮部１Ｂにより形成されている。
【００２９】
保持ベルト２は、ベルト本体１よりも弾力が強い弾性ベルトにより形成され、ベルト本体１よりも細幅（ベルト本体１の上下幅の略１／３〜略１／４）とされ、その両端がベルト本体外面の左右の部分であってベルト本体１の上下の中間部分に固定されるとともに、保持ベルト２の長手方向の中間部の複数箇所は縦方向の逢着糸による固定線２Ｂによりベルト本体１に固定され、固定線２Ｂの間が、治療器３が挿入され保持ベルト２の弾力により弾性的に保持される複数個略同幅のポケット２Ａとされている。
【００３０】
保持ベルト２の両端は、ベルト本体１の上下略全幅に亘り固定して設けられたテープ状の固定布１Ｄにより覆われた状態で固定されている。
【００３１】
治療器保持用ベルト１０乃至ベルト本体１の長さは、使用する人体の胴回りに対応して長短があり、前記保持ベルト２の左右長さについても同様であるが、一般的には、保持ベルト２の左右長さは、約３０ｃｍ〜約６０ｃｍとされ、前記ポケットの左右幅は、使用する治療器３の大きさに対応して約３ｃｍ〜約６ｃｍに区画され、保持ベルト２に５個〜１０個（図では９個）程度、略同幅に形成されている。
【００３２】
各ポケット２に選択的に挿入保持される治療器３は、ポケットに挿入される外観略筒状をなし、作動又は作動停止操作自在とされている。治療器３は、本実施の形態では、人体に振動効果を付与するバイブレーターとしてのマッサージ器により形成され、その外壁には、マッサージ器を作動又は作動停止操作させるスイッチ部３ａと、その作動状態を発光表示させるＬＥＤ等の表示部３ｂが設けられている。
【００３３】
上記治療器保持用ベルト１０は、ポケット２に治療器３（マッサージ器）を装着したベルト本体１を、骨盤回りの腰部に強く巻いて左右の面ファスナー１Ａ，１Ａを係止して使用する。この時、複数の各ポケット２に治療器３を装着し、全部の治療器３又は選択した任意の治療器３のみを作動させて、患部の治療を行わせることができる。また、複数の各ポケット２の内、任意のポケット２に治療器３を装着させて必要な治療を行わせることもできる。
【００３４】
治療器３としては、マッサージ器の他、温熱加温器、超音波治療器などを使用することができる。患者の症状によっては、マッサージ器と他の治療器、例えば、加温器とを併用させることも可能である。
【００３５】
（第２の実施形態）
図４乃至図６を参照して、本考案の第２の実施形態に係る治療器保持用ベルトを説明する。
第２の実施形態に係る治療器保持用ベルト２０は、その各ポケット１２は、上端を開口し下端を閉鎖した略筒状をなし、ベルト本体１の上記中間伸縮部１Ｃの左右であって、骨盤の左右の部分に対応する位置に、２個又は３個づつ等の複数個づつ（本第２の実施形態では３個づつ）、互いに接した状態で、縦方向に平行に設けられている。
【００３６】
第２の実施形態において、第１の実施形態と共通する部分には、共通する参照符号を付して、その詳細な説明は省略する。
【符号の説明】
【００３７】
１０（２０）  治療器保持用ベルト
１    ベルト本体、１Ａ    面ファスナー、１Ｂ  伸縮部、１Ｃ  中間伸縮部、１Ｄ  固定布
２    保持ベルト
２Ａ（１２）    ポケット、２Ｂ  固定布
３    治療器（マッサージ器）、３ａ  スイッチ部、３ｂ  表示部
【図１】
0003163846.tif 000003
【図２】
0003163846.tif 000004
【図３】
0003163846.tif 000005
【図４】
0003163846.tif 000006
【図５】
0003163846.tif 000007
【図６】
0003163846.tif 000008